(57)【要約】【課題】より巻き取りやすいとともに規則正しく巻き取ることのできる電気コードリールを提供することを目的とする。【解決手段】回動させられることにより一の電気コード１２を巻き取るドラム１４と、一の電気コード１２との通電が維持されるコンセント１６とを備える電気コードリール１０を、一の電気コード１２を差し込んで保持する保持手段１８と、ドラム１４の回動に連動して保持手段１８をドラム１４の回動中心軸２０方向に揺動させる揺動手段２２と、を備えて構成した。【選択図】図１
2007106527.tif 000002
【特許請求の範囲】
【請求項１】
回動させられることにより一の電気コードを巻き取るドラムと、該一の電気コードとの通電が維持されるコンセントとを備える電気コードリールであり、
前記一の電気コードを差し込んで保持する保持手段と、前記ドラムの回動に連動して該保持手段を前記ドラムの回動中心軸方向に揺動させる揺動手段と、を備えた電気コードリール。
【請求項２】
前記保持手段の揺動速度が前記ドラムの回動速度に対応する請求項１に記載する電気コードリール。
【請求項３】
前記保持手段が、前記ドラムと該揺動手段との間で前記一の電気コードに張力を与える張力付与手段を備えた請求項１又は請求項２に記載する電気コードリール。
【請求項４】
前記保持手段が、前記一の電気コードの異物を掃除する払拭手段を備えた請求項１乃至請求項３のいずれかに記載する電気コードリール。
【請求項５】
前記コンセントがドラムの回動軸付近に位置し、該ドラムが、前記通電を維持しつつ該コンセントのまわりに回動して該一の電気コードを巻き取る請求項１乃至請求項４のいずれかに記載する電気コードリール。
【発明の詳細な説明】
【技術分野】
【０００１】
本発明は、手動又は自動でドラムを回動させて電気コードを巻き取る電気コードリールに関する。
【背景技術】
【０００２】
従来から、電気コードをドラムに巻き取る電気コードリールが使用されている。また、このような電気コードリールにおいて、巻き取り補助具付きの電気コードリールも案出されている（例えば、特許文献１参照。）。しかし、より巻き取りやすい電気コードリールが望まれている。また、電気コードを規則正しく巻き取ることのできる電気コードリールも望まれている。
【特許文献１】実開平４−３４２７５号公報
【発明の開示】
【発明が解決しようとする課題】
【０００３】
そこで、本発明者は、このような課題の原因を究明してこのような課題を解決するべく、鋭意研究を重ねた結果、本発明に至ったのである。
【０００４】
すなわち、本発明は、より巻き取りやすいとともに規則正しく巻き取ることのできる電気コードリールを提供することを目的とする。
【課題を解決するための手段】
【０００５】
本発明の電気コードリールは、回動させられることにより一の電気コードを巻き取るドラムと、該一の電気コードとの通電が維持されるコンセントとを備える電気コードリールであり、前記一の電気コードを差し込んで保持する保持手段と、前記ドラムの回動に連動して該保持手段を前記ドラムの回動中心軸方向に揺動させる揺動手段と、を備えたことを特徴とする。
【０００６】
本発明の電気コードリールは、前記電気コードリールにおいて、前記保持手段の揺動速度が前記ドラムの回動速度に対応することを特徴とする。
【０００７】
本発明の電気コードリールは、前記電気コードリールにおいて、前記保持手段が、前記ドラムと該揺動手段との間で前記一の電気コードに張力を与える張力付与手段を備えたことを特徴とする。
【０００８】
本発明の電気コードリールは、前記電気コードリールにおいて、前記保持手段が、前記一の電気コードの異物を掃除する払拭手段を備えたことを特徴とする。
【０００９】
本発明の電気コードリールは、前記電気コードリールにおいて、前記コンセントがドラムの回動軸付近に位置し、該ドラムが、前記通電を維持しつつ該コンセントのまわりに回動して該一の電気コードを巻き取ることを特徴とする。
【発明の効果】
【００１０】
本発明の電気コードリールによれば、ドラムの回動に連動して保持手段を揺動させることにより、電気コードの巻き取り速度に対応して電気コードを回動中心軸の方向に揺動させて、電気コードを容易に規則正しく巻き取っていくことができる。また、ドラムの回動速度が保持手段の揺動速度に対応する場合には、電気コードの巻き取り速度に対応して電気コードを回動中心軸の方向に揺動させて、電気コードを規則正しく巻き取っていくことができる。
【００１１】
また、本発明の電気コードリールにおいて、張力付与手段を備える場合には、ドラムと揺動手段との間で、巻き取る電気コードに一定の張力を与えるため、ドラムと揺動手段との間で電気コードが弛むことなく、規則正しく電気コードをドラムに巻き取っていくことができる。
【００１２】
また、本発明の電気コードリールにおいて、払拭手段を備える場合には、電気コードの表面に付着した汚れ、ゴミ、泥等の異物を掃除できるため、異物の付着したままの電気コードが巻かれていくことがない。これにより、より規則正しく電気コードを巻き取ることができるとともに電気コードの腐蝕を防止できる。
【発明を実施するための最良の形態】
【００１３】
次に、本発明に係る電気コードリールの実施の形態について、図面に基づいて詳しく説明する。
【００１４】
図１乃至図３において、符号１０は、本発明の電気コードリールである。この電気コードリール１０は、回動させられることにより一の電気コード１２を巻き取るドラム１４と、一の電気コード１２との通電が維持されるコンセント１６とを備える電気コードリールであり、一の電気コード１２を差し込んで保持する保持手段１８と、ドラム１４の回動に連動して保持手段１８をドラム１４の回動中心軸２０方向に揺動させる揺動手段２２と、を備えている。
【００１５】
ドラム１４は、その回動軸２４が歯車２６に固定されており、ハンドル２８を手で保持して歯車３０を回動させ、歯車３０に噛み合う歯車２６を回動させることにより、外枠３２に対して回動軸２４のまわりに回動するように構成されている。なお、ドラム１４の外周は、電気コード１２の巻き取り開始時に電気コードを規則正しく巻き取ることができるように、図４に示すように、電気コード１２を嵌め込むための螺旋状の溝３６が設けられている。
【００１６】
コンセント１６は、外枠３２のハンドル２８等との反対側において、ドラム１４の回動軸２４付近に位置し、図１に示すように外枠３２に固定されている。コンセント１６のリード線３４は、図示しない端子に接続され、その端子がドラム１４内で電気コード１２の端子に接触している。すなわち、ドラム１４は、電気コード１２とコンセント１６との通電を維持しつつコンセント１６のまわりに回動して電気コード１２を巻き取るように構成されている。
【００１７】
保持手段１８は、図５に示すように、筒状部材３８の内面に、ドラム１４と揺動手段２２との間で、電気コード１２との摩擦力により電気コード１２に張力を与えるゴムパイプ（張力付与手段）４０を備えて構成されている。電気コード１２に接触するゴムパイプ４０の側壁４１の電気コード１２を巻き取る方向に対する角度θは９０°以下の鋭角であり、電気コード１２を延ばす時よりも巻き取る時に張力が大きくなるように構成されている。なお、図５において、矢印の方向が電気コード１２を巻き取る方向である。また、筒状部材３８の内面に、差し込んだ電気コード１２の表面に付着した異物を掃除するブラシ（払拭手段）４２を備えて構成されている。筒状部材３８は、図６に示すように、蓋部材４４を開閉して電気コード１２を着脱できる。なお、ゴムパイプ４０及びブラシ４２は、筒状部材３８へ着脱可能であることにより交換可能であることが望ましい。また、ゴムパイプ４０及びブラシ４２を一体に構成してもよい。
【００１８】
揺動手段２２は、歯車３０に噛み合う歯車４６と、歯車４６とともに回動する棒状カム４８と、保持手段１８揺動を誘導するガイド５０とから構成されている。棒状カム４８には、図７に示すように、複数の菱形溝が各々の角部で接続された網形状の係合溝５２が設けられている。複数の菱形溝は、回動中心軸方向に整列されており、回動方向には、２個整列されている。保持手段１８内には係合溝５２に係合された回動可能な係合部材５３が備えられ、棒状カム４８が回動することにより、係合溝５２が係合部材５３に対して摺動しながら、保持手段１８が棒状カム４８に沿って繰り返し往復運動することによって揺動運動を行なうように構成されている。
【００１９】
よって、ハンドル２８を保持して歯車３０を回動させることにより、電気コード１２を保持する保持手段１８がこのような揺動運動を行なうとともに、ドラム１４が上述の回動運動を行なうこととなる。これにより、保持手段１８の揺動運動がドラム１４の回動運動に連動し、保持手段１８の揺動速度が、ドラム１４の回動速度に対応するように構成されている。
【００２０】
また、電気コードリール１０は、電気コード１２を巻き取る時に、電気コードリール１０が揺れないように地上等に安定した状態に固定するための足踏みステップ５４が設けられている。また、運搬するため又は固定するために、手で保持するための取っ手５６も設けられている。さらに、外枠３２に固定されることにより電気コードリール１０を補強する補強部材５８も設けられている。
【００２１】
このような構成の本発明に係る電気コードリール１０の作用及び効果について以下に説明する。
【００２２】
電気コードリール１０は、コンセント１６に他の電気コードが接続されるとともに、電気コード１２が延ばされて先端が電源等に接続された状態で、電源供給のために使用される。使用後は、電気コード１２の先端の接続を外してハンドル２８を回動させて電気コード１２を巻き取る。この時、電気コードリール１０が揺れないように、足踏みステップ５４を足で踏んで地上等に固定する。
【００２３】
ハンドル２８を回動させると、歯車３０及び２６が回動することにより、ドラム１４が回動して電気コード１２が巻き取られていく。一方で、ハンドル２８を回動させると、歯車３０及び４６が回動することにより、棒状カム４８が回動して保持手段１８が棒状カム４８に沿って揺動運動を行なう。このようにして保持手段１８がドラム１４の回動に連動して揺動することにより、ドラム１４の回動速度が保持手段１８の揺動速度に対応することとなり、電気コード１２を保持する保持手段１８の揺動速度が電気コード１２の巻き取り速度に比例することとなる。このため、巻き取り速度に対応して電気コード１２を回動中心軸２０の方向に揺動させて、電気コード１２を規則正しく巻き取っていくことができる。
【００２４】
この時、ゴムパイプ（張力付与手段）４０の摩擦力によりドラム１４と揺動手段２２との間で、電気コード１２に張力を与えるため、電気コード１２が弛むことなく規則正しくドラム１４に巻かれていく。また、ブラシ（払拭手段）４２により、電気コード１２の表面に付着した汚れ、ゴミ、泥等の異物を掃除するため、異物の付着したままの電気コード１２が巻かれていくことがない。
【００２５】
以上、本発明の一実施形態について図面に基いて説明したが、本発明は、図示した実施形態には限定されない。
【００２６】
例えば、ドラム等の外形は特に限定されない。また、巻き取る電気コードをドラムへ着脱可能に構成してもよい。また、張力付与手段は、ゴムパイプに限定されず、バネによって電気コードとの間で摩擦力を生じさせる手段であってもよい。また、払拭手段は、ブラシに限定されず、布や紙等でもよい。
【００２７】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２８】
本発明の電気コードリールによれば、電気コードを容易に規則正しくドラムへ巻き取っていくことができる。このため、屋内又は屋外において電気機器の通電のために広く利用できる。また、本発明の電気コードリールの機構を電気コード以外の巻き取りに利用することも可能である。
【図面の簡単な説明】
【００２９】
【図１】本発明の電気コードリールを示す平面図である。
【図２】図１の電気コードリールを示す正面図である。
【図３】図１の電気コードリールを示す背面図である。
【図４】図１の電気コードリールのドラムを示す平面図である。
【図５】図１の電気コードリールの保持手段を示す拡大断面図である。
【図６】図１の電気コードリールの保持手段を示す拡大側面図である。
【図７】図１の電気コードリールの揺動手段を示す拡大平面図である。
【符号の説明】
【００３０】
１０：電気コードリール
１２：電気コード
１４：ドラム
１６：コンセント
１８：保持手段
２０：回動中心軸
２２：揺動手段
２４：回動軸
２６、３０、４６：歯車
２８：ハンドル
３２：外枠
３４：リード線
３６：溝
３８：筒状部材
４０：ゴムパイプ（張力付与手段）
４２：ブラシ（払拭手段）
４４：蓋部材
４８：棒状カム
５０：ガイド
５２：係合溝
５４：足踏みステップ
【図１】
2007106527.tif 000003
【図２】
2007106527.tif 000004
【図３】
2007106527.tif 000005
【図４】
2007106527.tif 000006
【図５】
2007106527.tif 000007
【図６】
2007106527.tif 000008
【図７】
2007106527.tif 000009